(57)【要約】【課題】、背景被写体がユーザの意図に近い程度にぼけた画像を素早く撮像することができるようにする。【解決手段】撮像装置２００は、撮像に際しての撮像光学系の焦点距離に関する情報およびＦナンバーに関する情報と、撮像に際して撮像光学系の焦点を合わせた第１の被写体の被写体距離である第１の被写体距離に関する情報とを用いて、第１の被写体距離とは異なる所定の第２の被写体距離に位置する第２の被写体の出力画像中でのぼけ度合いを表すぼけ指標を生成する指標生成手段１０を有する。撮像装置は、ユーザによる目標ぼけ度合いの入力を可能とするぼけ入力手段１４と、ぼけ指標が目標ぼけ度合いに対して所定範囲内に入るように撮像光学系を制御する制御手段１０を有する。【選択図】図８
2016134864.tif 000002
【特許請求の範囲】
【請求項１】
撮像光学系により形成された被写体像の撮像を行う撮像センサと、
前記撮像に際しての前記撮像光学系の焦点距離に関する情報およびＦナンバーに関する情報を取得する光学情報取得手段と、
前記撮像に際して前記撮像光学系の焦点を合わせた第１の被写体の被写体距離である第１の被写体距離に関する情報を取得する被写体距離取得手段と、
前記焦点距離に関する情報、前記Ｆナンバーに関する情報、前記第１の被写体距離に関する情報を用いて、前記第１の被写体距離とは異なる所定の第２の被写体距離に位置する第２の被写体の前記出力画像中でのぼけ度合いを表すぼけ指標を生成する指標生成手段と、
ユーザによる目標ぼけ度合いの入力を可能とするぼけ入力手段と、
前記ぼけ指標が前記目標ぼけ度合いに対して所定範囲内に入るように前記撮像光学系を制御する制御手段とを有することを特徴とする撮像装置。
【請求項２】
前記撮像センサの撮像サイズに関する情報を取得する撮像サイズ取得手段と、
前記撮像により生成された画像データが出力画像として出力される際の該出力画像のサイズである出力サイズに関する情報を取得する出力サイズ取得手段を有し、
前記指標生成手段は、前記焦点距離に関する情報、前記Ｆナンバーに関する情報、前記第１の被写体距離に関する情報、前記撮像サイズに関する情報および前記出力サイズに関する情報を用いて前記ぼけ指標を生成することを特徴とする請求項１に記載の撮像装置。
【請求項３】
前記撮像センサ上での前記第２の被写体の被写体像のぼけ量をδとし、前記撮像サイズをｍとし、前記出力サイズをＭとし、前記出力画像中での前記第２の被写体のぼけ量をΔとし、前記出力画像において人が認識できないぼけ量をΔｏとするとき、
前記指標生成手段は、
Δ＝δ×Ｍ／ｍ
Ｂｋ＝Δ／Δｏ
を用いて前記ぼけ指標Ｂｋを生成することを特徴とする請求項２に記載の撮像装置。
【請求項４】
前記ぼけ指標を画像表示手段に表示させることを特徴とする請求項１から３のいずれか一項に記載の撮像装置。
【請求項５】
前記ぼけ指標は、前記ぼけ度合いに応じて値が変化する数値であることを特徴とする請求項１から４のいずれか一項に記載の撮像装置。
【請求項６】
前記ぼけ指標は、前記ぼけ度合い応じて大きさが変化する図形であることを特徴とする請求項１から４のいずれか一項に記載の撮像装置。
【請求項７】
前記第２の被写体距離をユーザが入力するための距離入力手段を有することを特徴とする請求項１から６のいずれか一項に記載の撮像装置。
【請求項８】
コンピュータに処理を実行させるコンピュータプログラムであって、
前記コンピュータに、
撮像センサを用いて撮像光学系により形成された被写体像の撮像を行う際の前記撮像光学系の焦点距離に関する情報およびＦナンバーに関する情報を取得する処理と、
前記撮像に際して前記撮像光学系の焦点を合わせた第１の被写体の被写体距離である第１の被写体距離に関する情報を取得する処理と、
前記焦点距離に関する情報、前記Ｆナンバーに関する情報、前記第１の被写体距離に関する情報を用いて、前記第１の被写体距離とは異なる所定の第２の被写体距離に位置する第２の被写体の前記出力画像中でのぼけ度合いを表すぼけ指標を生成する処理と、
ユーザにより入力された目標ぼけ度合いを取得する処理と、
前記ぼけ指標が前記目標ぼけ度合いに対して所定範囲内に入るように前記撮像光学系を制御する処理を実行させることを特徴とする撮像制御プログラム。
【発明の詳細な説明】
【技術分野】
【０００１】
本発明は、主被写体にピントを合わせて撮像を行う際に、出力画像中での背景被写体のぼけ度合いに関する指標を生成することが可能な撮像装置に関する。
【背景技術】
【０００２】
上記のような撮像においてピントを合わせていない背景被写体のぼけ度合いは、従来では、ユーザが直接モニタに表示された画像を見ることで主観的に認識していた。また、特許文献１には、ぼけ度合いを画像出力（プリント）状態での最小錯乱円径で規格化した数値で表示するカメラが開示されている。
【先行技術文献】
【特許文献】
【０００３】
【特許文献１】特開２００２−２３２４１号公報
【発明の概要】
【発明が解決しようとする課題】
【０００４】
しかしながら、特許文献１にて開示されたカメラでは、背景被写体のぼけ度合いを表す数値を確認しながら、所望のぼけ度合いが得られるように絞りを操作する必要がある。このため、素早い撮像を妨げるおそれがある。特に、このカメラの使用に不慣れなユーザにとっては、所望のぼけ度合いが得られるように素早く調節することが難しい。
【０００５】
本発明は、背景被写体がユーザの意図に近い程度にぼけた画像を素早く撮像することができる撮像装置を提供する。
【課題を解決するための手段】
【０００６】
本発明の一側面としての撮像装置は、撮像光学系により形成された被写体像の撮像を行う撮像センサと、撮像に際しての撮像光学系の焦点距離に関する情報およびＦナンバーに関する情報を取得する光学情報取得手段と、撮像に際して撮像光学系の焦点を合わせた第１の被写体の被写体距離である第１の被写体距離に関する情報を取得する被写体距離取得手段と、焦点距離に関する情報、Ｆナンバーに関する情報、第１の被写体距離に関する情報を用いて、第１の被写体距離とは異なる所定の第２の被写体距離に位置する第２の被写体の出力画像中でのぼけ度合いを表すぼけ指標を生成する指標生成手段と、ユーザによる目標ぼけ度合いの入力を可能とするぼけ入力手段と、ぼけ指標が目標ぼけ度合いに対して所定範囲内に入るように撮像光学系を制御する制御手段とを有することを特徴とする。
【０００７】
また、本発明の他の一側面としての撮像制御プログラムは、コンピュータに、撮像センサを用いて撮像光学系により形成された被写体像の撮像を行う際の撮像光学系の焦点距離に関する情報およびＦナンバーに関する情報を取得する処理と、撮像に際して撮像光学系の焦点を合わせた第１の被写体の被写体距離である第１の被写体距離に関する情報を取得する処理と、焦点距離に関する情報、Ｆナンバーに関する情報、第１の被写体距離に関する情報を用いて、第１の被写体距離とは異なる所定の第２の被写体距離に位置する第２の被写体の出力画像中でのぼけ度合いを表すぼけ指標を生成する処理と、ユーザにより入力された目標ぼけ度合いを取得する処理と、ぼけ指標が前記目標ぼけ度合いに対して所定範囲内に入るように撮像光学系を制御する処理を実行させることを特徴とする。
【発明の効果】
【０００８】
本発明によれば、不慣れなユーザにとっても、背景被写体がユーザの意図に近い程度にぼけた画像を素早く撮像することができる。
【図面の簡単な説明】
【０００９】
【図１】本発明の前提技術例（実施例１）である撮像装置の構成を示すブロック図。
【図２】近軸的なぼけを説明する図。
【図３】実施例１におけるぼけ指標生成処理を示すフローチャート。
【図４】撮像画像を示す図。
【図５】実施例１におけるぼけ指標を表示した撮像画像を示す図。
【図６】実施例１においてぼけ指標を表示した別の撮像画像を示す図。
【図７】実施例１においてぼけ指標を図形で表示した撮像画像を示す図。
【図８】本発明の特徴を含む実施例２の撮像装置の構成を示すブロック図。
【図９】実施例２においてぼけ指標に基づいて撮像装置を制御する処理を示すフローチャート。
【発明を実施するための形態】
【００１０】
以下、本発明の実施例について図面を参照しながら説明する。
【実施例１】
【００１１】
まず、図１を用いて、本発明の前提技術例としての実施例１であるデジタルカメラ等の撮像装置１００の構成について説明する。撮像装置１００は、撮像レンズ１と、駆動制御部２と、撮像センサ３と、Ａ／Ｄ変換部４と、画像修復部５と、現像処理部６と、タイミングジェネレーター７と、画像記憶部８とを有する。また、撮像装置１００は、画像処理部９と、システム制御部１０と、画像処理作業部１１と、画像表示制御部１２と、画像表示部１３と、操作部１４と、画像記録部１５と、測距部１６とを有する。
【００１２】
撮像レンズ１は、フォーカスレンズや変倍レンズ等を含む複数のレンズおよび絞りにより構成される撮像光学系である。フォーカスレンズは、撮像センサ３の撮像面上に被写体像を結像させるために撮像レンズ１の光軸方向に移動可能なレンズである。また、変倍レンズは、撮像レンズ１の焦点距離を変更するために光軸方向に移動可能なレンズである。
【００１３】
システム制御部１０は、ＣＰＵと該ＣＰＵが実行するコンピュータプログラムを格納するＲＯＭ（いずれも図示せず）を含むコンピュータであり、撮像装置１００全体の動作や処理を制御する制御手段として機能する。具体的には、システム制御部１０は、駆動制御部２、画像修復部５、タイミングジェネレーター７、画像記憶部８、画像処理部９、画像表示制御部１２、画像記録部１５および測距部１６等の動作を制御する。また、システム制御部１０は、オートフォーカス（ＡＦ）処理、露出制御（ＡＥ）処理および後述する撮像制御処理（ぼけ指標生成処理を含む）等を行う。画像処理作業部１１は、システム制御部１０が各処理を行う際の作業領域として機能する。システム制御部１０は、駆動制御部２および測距部１６とともに、ぼけ指標生成装置を構成する。
【００１４】
駆動制御部２は、ＡＦ処理を行うシステム制御部１０からの駆動指示に応じて撮影レンズ１内のフォーカスレンズを移動させたり、ＡＥ処理を行うシステム制御部１０からの駆動指示に応じて絞りの開口径を変更したりする。また、駆動制御部２は、ユーザによるズーム指示に応じて変倍レンズを移動させる。さらに、駆動制御部２は、光学情報取得手段として、撮像レンズ１の状態、すなわちフォーカスレンズの位置、変倍レンズの位置（焦点距離に関する情報）および絞り径（Ｆナンバーに関する情報）を取得する機能も有する。
【００１５】
タイミングジェネレーター７は、所定時間ごとにクロックパルスを撮像センサ３とＡ／Ｄ変換部４に供給する。
【００１６】
撮像センサ３は、ＣＭＯＳセンサ等により構成されるイメージセンサである。撮像センサ３は、撮像レンズ１により形成された被写体像を、タイミングジェネレーター７から供給されるクロックパルスに応じて所定時間ごとに光電変換（撮像）し、アナログ撮像信号を生成する。Ａ／Ｄ変換部４は、タイミングジェネレーター７からのクロックパルス信号に応じて撮像センサ３からアナログ撮像信号を読み出し、これをデジタル撮像信号に変換する。デジタル撮像信号は、画像修復部５に入力される。
【００１７】
画像修復部５は、デジタル撮像信号における画素ごとのノイズや欠陥を補修する画像処理を行って、いわゆるＲＡＷデータを生成する。ＲＡＷデータは、現像処理部６に入力される。
【００１８】
現像処理部６は、ＲＡＷデータの各画素に対して色補間処理を行って、所定のダイナミックレンジを有するデジタル画像信号を生成する。色補間処理では、撮像センサ３のカラーフィルター構造に対応して、全画素にＲＧＢ情報が割り当てられる。デジタル画像信号は、画像記憶部８に一時的に保存される。
【００１９】
画像処理部９は、画像記憶部８に保存されたデジタル画像信号に対して、ホワイトバランス補正処理、γ補正処理、ＹＣ変換処理等の各種画像処理を行って、輝度信号と色差信号とにより構成される表示用および記録用画像データを生成する。画像データは、画像記憶部８に一時的に保存される。
【００２０】
画像表示制御部１２は、画像記憶部８や画像記録部１５に記憶された表示用画像データをアナログ信号に変換して画像表示部１３に供給する。画像表示部１３は、液晶ディスプレイ等により構成され、画像表示制御部１２から供給されたアナログ信号により形成される表示用画像を表示する。
【００２１】
操作部１４は、ユーザにより操作可能な複数の操作部材を有し、各操作部材の操作に応じた信号をシステム制御部１０に入力する。システム制御部１０は、操作部１４からの信号に応じてユーザの操作を解析し、その解析結果に応じた動作や処理を行う。また、操作部１４は、撮像制御処理（ぼけ指標生成処理）においてぼけ指標を生成する対象となる被写体距離その他のパラメータを入力（指定）するためのパラメータ入力手段（距離入力手段を含む）として機能する。
【００２２】
画像記録部１５は、メモリカード等の不図示の記録媒体に、画像処理部９により生成された記録用画像データを記録する。
【００２３】
測距部１６は、被写体距離取得手段として、ＡＦ処理における撮像レンズ１におけるフォーカスレンズの移動量を検出する。そして、測距部１６は、駆動制御部２から取得したフォーカスレンズおよび変倍レンズの位置と検出したフォーカスレンズの移動量とを用いて、撮像レンズ１の焦点を合わせる主被写体（第１の被写体）までの被写体距離（第１の被写体距離に関する情報）を取得する。
【００２４】
図２を用いて、本実施例において生成するぼけ指標について説明する。ぼけ指標は、主被写体に対して撮像レンズ１の焦点を合わせた状態で該主被写体の被写体距離（第１の被写体距離）とは異なる所定の被写体距離（第２の被写体距離）に位置する背景被写体（第２の被写体）の出力画像中でのぼけ度合いを表す指標である。出力画像とは、撮像センサを用いた撮像により生成された画像データをプリンタにより印刷したり画像表示部１３以外のモニタに表示したりすることで、人に提示される画像である。
【００２５】
図２では、撮像レンズ１を薄肉レンズとして示している。撮像を行った際の撮像レンズ１の焦点距離をｆとし、撮像レンズ１の絞り径をφとする。また、撮像レンズ１から該撮影レンズ１の焦点を合わせた主被写体までの被写体距離（第１の被写体距離）をｓとする。ただし、ｓ＜０である。撮像レンズ１からその像面までの距離ｓ′はレンズの近軸公式より、
ｓ′＝１／（１／ｆ＋１／ｓ）        ・・・（１）
となる。
【００２６】
また、このとき任意の被写体距離（第２の被写体距離）ｓｓの位置の背景被写体（第２の被写体）は、図２に点線で示すように結像位置ｓｓ′に結像する。ただし、ｓｓ＜０である。結像位置ｓｓ′は、式（１）と同様に、
ｓｓ′＝１／（１／ｆ＋１／ｓｓ）    ・・・（２）
となる。
【００２７】
被写体距離ｓｓの位置の背景被写体は、撮像センサ上で図２に示すようにぼけ量δだけぼける。ぼけ量δは、
δ＝φ×（ｓ′−ｓｓ′）／ｓｓ′
＝（１／ｓ−１／ｓｓ）／（ｆ／ｓｓ＋１）×ｆ２／Ｆ      ・・・（３）
となる。Ｆは撮像レンズ１のＦナンバーであり、
Ｆ＝ｆ／φ        ・・・（４）
として求めることができる。
ｆ＞０，Ｆ＞０であり、｜ｓｓ｜＞ｆとすると、（ｆ／ｓｓ＋１）＞０である。このため、撮像レンズ１の焦点を合わせた位置よりも撮像レンズ１から遠い位置の背景被写体のぼけ量は、ｓｓ＜ｓのときに（１／ｓ−１／ｓｓ）＜０であるので、負のぼけ量となる。一方、撮像レンズ１の焦点を合わせた位置よりも撮像レンズ１に近い位置の背景被写体のぼけ量は、ｓｓ＞ｓのときに（１／ｓ−１／ｓｓ）＞０となるので、正のぼけ量となる。
【００２８】
撮像により生成された画像データ上でのぼけ量は、撮像センサの撮像面のサイズ（撮像サイズ）でのぼけ量に相当する。撮像により生成された画像データを撮像サイズより大きいサイズの出力画像として出力（例えば印刷）すると、撮像センサ上のぼけは拡大される。出力画像（例えば、印刷画像）上でのぼけ量Δは、撮像センサの撮像サイズをｍとし、出力画像のサイズである出力サイズをＭとすると、
Δ＝δ×Ｍ／ｍ        ・・・（５）
となる。
【００２９】
本実施例では、出力画像において人がぼけとして認識できないぼけ量（例えば、人が目から３０ｃｍ程度離して出力画像を観察したときのぼけ量）をΔｏとするとき、ぼけ指標Ｂｋを、
Ｂｋ＝Δ／Δｏ        ・・・（６）
として生成（算出）する。
【００３０】
図３には、指標生成手段としてのシステム制御部１０が行う撮像制御処理（ぼけ指標生成処理を含む）の流れを示している。コンピュータにより構成されるシステム制御部１０は、コンピュータプログラムである撮像制御プログラムに従ってこの撮像制御処理を実行する。
【００３１】
ユーザが撮像装置の撮像レンズ１を主被写体に向け、システム制御部１０がＡＦ処理によりフォーカスレンズを制御して撮像レンズ１の焦点を主被写体に合わせると、システム制御部１０は処理を開始する。この状態で撮像センサ３による表示用または記録用画像データを生成するための撮像が行われるものとする。
【００３２】
ステップ１０１では、システム制御部１０は、測距部１６から主被写体までの被写体距離（ｓ）を取得する。
【００３３】
次にステップ１０２では、システム制御部１０は、駆動制御部２から撮像レンズ１の絞り径（φ）を取得し、式（４）によりＦナンバー（Ｆ）を算出する。
【００３４】
次にステップ１０３では、システム制御部１０は、駆動制御部２から撮像レンズ１における変倍レンズの位置を取得し、該変倍レンズの位置から撮像レンズ１の焦点距離（ｆ）を算出する。なお、Ｆナンバーや焦点距離を操作部１４においてユーザが指定した場合は、それらの情報を駆動制御部２からではなく、操作部（光学情報取得手段）１４から取得してもよい。
【００３５】
次にステップ１０４では、システム制御部１０は、予めユーザにより入力部１４から入力されて内部メモリに格納されていた、ぼけ指標を得たい背景被写体の被写体距離（ｓｓ）を読み出す。また、システム制御部１０は、撮像サイズ取得手段として、その内部メモリに予め格納されていた撮像センサ３の撮像サイズ（ｍ）を読み出す（取得する）。さらに、システム制御部１０は、出力サイズ取得手段として、予めユーザにより入力部１４から入力されて内部メモリに格納されていた出力画像のサイズである出力サイズ（Ｍ）を読み出す（取得する）。そして、システム制御部１０は、これらの情報（ｓｓ，ｍ，Ｍ）と、主被写体の被写体距離（ｓ）、焦点距離（ｆ）およびＦナンバー（Ｆ）を用いて、式（５）および式（６）の計算を行い、ぼけ指標Ｂｋを生成する。ここでは、システム制御部１０は、ぼけ指標Ｂｋを、ぼけ度合いに応じて値が変化する数値として生成する。
【００３６】
次にステップ１０５では、システム制御部１０は、画像表示制御部１２に、ぼけ指標（数値）を画像表示部１３に表示される表示用画像に合成させて合成画像を生成させる。
【００３７】
次にステップ１０６では、システム制御部１０は、画像表示制御部１２に、合成画像を画像表示部１３に表示させる。ぼけ指標が合成された合成画像は、フォーカスレンズの位置（つまりは撮像レンズ１の焦点）がロックされたフォーカスロック期間中は継続して表示される。こうして、処理が終了する。
【００３８】
本実施例では、式（６）中の変数に対応するパラメータを、例えば、
ｓｓ＝∞  （無限遠）
ｍ＝３６ｍｍ  （フルサイズ撮像センサの長辺サイズ）
Ｍ＝４２０ｍｍ  （Ａ３サイズ用紙の長辺サイズ）
Δｏ＝０．４ｍｍ
と予め決めておく。つまり、ぼけ度合いを知りたい背景被写体の被写体距離ｓｓを所定の被写体距離として無限遠に決めておくとともに、出力サイズＭも所定サイズに決めておく。撮像サイズｍは既知の値である。この場合、式（６）は、
Ｂｋ＝｛（１／ｓ−１／ｓｓ）／（ｆ／ｓｓ＋１）｝×ｆ２／Ｆ×Ｍ／ｍ／Δｏ
＝２９．１×ｆ２／（Ｆ×ｓ）        ・・・（６）′
として計算できる。
【００３９】
図４には、主被写体である人物Ｐと背景被写体であるヨットや雲を含むシーンを、焦点距離が５０ｍｍでＦナンバーが２．８である撮像レンズ１を通して撮像することで得られた画像表示部１３上での表示用画像を示している。
【００４０】
人物Ｐの被写体距離を３．５ｍとすると、（６）′式は、
Ｂｋ＝２９．１×５０２／（２．８×（−３５００））
＝−７．４
となり、ぼけ指標Ｂｋは、出力画像上において、無限遠Ｉの背景被写体のぼけ度合いが、最小錯乱円径の２．６倍になることを示す。このとき、図５に示すように、画像表示部１３上に表示される合成画像は、ぼけ指標である「２．６」の数値を含む。
【００４１】
図６は、図５の状態よりも人物Ｐに近づいて撮像を行ったときの画像表示部１３上に表示される合成画像を示している。このときの人物Ｐの被写体距離を１．５ｍとすると、（６）′式は、
Ｂｋ＝２９．１×５０２／（２．８×（−１５００））
＝−１７．３
となり、ぼけ指標Ｂｋは、出力画像上において、無限遠Ｉの背景被写体のぼけ度合いが、最小錯乱円径の６．１倍になることを示す。このため、合成画像は、ぼけ指標である「６．１」の数値を含む。
【００４２】
このようにぼけ指標を表示することで、撮像レンズ（ズームレンズ）１において開放Ｆナンバーが変化するような場合でも、的確に出力画像上でのぼけ度合いを把握することが可能となる。
【００４３】
なお、数値によるぼけ指標の表示方法としては、図５や図６に示した表示方法に限らず、他の表示方法を用いてもよい。例えば、以下のように、ぼけ量の比率（最小錯乱円径に対するぼけ量の倍率）の２の対数で表示してもよい。
Ｂｋ′＝ｌｏｇ２（｜−１７．３｜）
＝４．１
このぼけ指標は、カメラで一般的に使われる絞りの段数と一致するので、ユーザがぼけ度合いをより認識し易くなる。
【００４４】
また、図７に示すように、ぼけ指標Ｂｋ″を数値ではなく、ぼけ度合い応じて図形の大きさが変化する図形（イメージ）で表示してもよい。
【００４５】
なお、式（６）′の計算において出力サイズＭをＡ３サイズとしたが、これは例にすぎず、ユーザが希望する任意の出力サイズを操作部１４を通じて指定することができる。また、式（６）′において無限遠の被写体距離に対してぼけ指標を求める場合について説明したが、ユーザがぼけ度合いを知りたい任意の被写体距離を所定の被写体距離として操作部１４を通じて指定することができる。
【実施例２】
【００４６】
図８には、本発明の特徴を含む実施例（実施例２）である撮像装置２００の構成を示している。実施例１の撮像装置１００と共通する構成要素には、実施例１と同符号を付している。本実施例の撮像装置２００は、撮像センサ５３が被写体距離を算出するための情報を生成できるように構成され、測距部１６′が撮像センサ５３からその情報を取得する点と、画像表示部６３がタッチパネルを備えている点で、実施例１の撮像装置１００と異なる。撮像センサ５３は、画素ごとにマイクロレンズと一対の光電変換素子とを備えており、マイクロレンズで分割された２つの光束を一対の光電変換素子で光電変換することで一対の位相差信号が得られる。測距部１６′は、この一対の位相差信号のずれ量を用いて被写体距離を算出する。なお、一対の位相差信号のずれ量を用いて撮像レンズ１のデフォーカス量を算出することもできる。
【００４７】
図９には、指標生成手段および制御手段としてのシステム制御部１０が行う撮像制御処理の流れを示している。コンピュータにより構成されるシステム制御部１０は、コンピュータプログラムである撮像制御プログラムに従って上記処理を実行する。
【００４８】
ユーザが撮像装置の撮像レンズ１を主被写体に向けた状態からシステム制御部１０が上記処理を開始する。この状態から撮像センサ５３による表示用または記録用画像データを生成するための撮像が行われるものとする。
【００４９】
まず、上記処理の開始に先立って、ステップ２００において、ユーザは無限遠距離等の背景被写体に対する所望のぼけ度合い（ぼけ指標に対応する数値）として目標ぼけ度合いをぼけ入力手段としての操作部１４から入力（指定）する。システム制御部１０は、このユーザが入力した目標ぼけ度合いを内部メモリに格納する。
【００５０】
上記処理を開始したシステム制御部１０は、まずステップ２０１において、画像表示部６３においてユーザが撮像レンズ１の焦点を合わせたい位置としてタッチした位置（主被写体の位置）を検出する。
【００５１】
次にステップ２０２では、システム制御部１０は、画像表示部６３においてユーザがタッチした位置に対応する撮像センサ５３上での位置（以下、センサ指定位置という）を算出する。
【００５２】
次にステップ２０３では、システム制御部１０は、撮像センサ５３のうちセンサ指定位置から上述した一対の位相差信号のずれ量を取得し、撮像レンズ１のデフォーカス量を算出する。
【００５３】
次にステップ２０４では、システム制御部１０は、算出したデフォーカス量に基づいてフォーカスレンズの駆動量を算出し、駆動制御部２を通して該駆動量だけフォーカスレンズを移動させて撮像レンズ１の焦点を主被写体に合わせる。
【００５４】
次にステップ２０５では、システム制御部１０は、測距部１６′に撮像センサ５３のうちセンサ指定位置から一対の位相差信号を取得させ、該一対の位相差信号のずれ量から主被写体までの被写体距離（ｓ）を算出させる。
【００５５】
次にステップ２０６では、システム制御部１０は、駆動制御部２から撮像レンズ１の絞り径（φ）を取得し、実施例１に示した式（４）によりＦナンバー（Ｆ）を算出する。
【００５６】
次にステップ２０７では、システム制御部１０は、駆動制御部２から撮像レンズ１における変倍レンズの位置を取得し、該変倍レンズの位置から撮像レンズ１の焦点距離（ｆ）を算出する。なお、Ｆナンバーや焦点距離を操作部１４においてユーザが指定した場合は、それらの情報を駆動制御部２からではなく、操作部１４から取得してもよい。
【００５７】
次にステップ２０８では、システム制御部１０は、実施例１（図３）のステップ１０４と同様に、式（５）および式（６）の計算を行って、ぼけ指標Ｂｋを生成する。ここでは、システム制御部１０は、ぼけ指標Ｂｋを、ぼけ度合いに応じて値が変化する数値として生成する。
【００５８】
次にステップ２０９では、システム制御部１０は、ステップ２００において内部メモリに格納された目標ぼけ度合いを読み出し（取得し）、この目標ぼけ度合いとステップ２０８で算出したぼけ指標とを比較する。ぼけ指標が目標ボケ度合いに対して一致又は概ね一致する所定範囲内であればステップ２１５に進み、所定範囲内になければステップ２１０に進む。
【００５９】
ステップ２１０では、システム制御部１０は、ぼけ指標が目標ボケ度合いに対して上記所定範囲内に入るように（望ましくは、ぼけ指標が目標ボケ度合いに対して一致するように）Ｆナンバーを算出する。
【００６０】
そして、ステップ２１１では、システム制御部１０は、算出したＦナンバーが撮像レンズ１内の絞りの駆動によって実現可能であるか否かを判定する。実現可能である場合はステップ２１２に進み、実現できない場合はステップ２１３に進む。
【００６１】
ステップ２１２では、システム制御部１０は、駆動制御部２を通じて、算出したＦナンバーに対応する絞り径となるように絞りを制御する。そして、ステップ２１５に進む。
【００６２】
一方、ステップ２１３では、システム制御部１０は、目標ボケ度合いが実現できない旨の情報（メッセージ）を画像表示部６３に表示させ、このことをユーザに知らせる。さらに、ステップ２１４において、システム制御部１０は、画像表示部６３に、ユーザに対して目標ボケ度合いの変更を促す情報（メッセージ）を表示させる。
【００６３】
ステップ２１５では、システム制御部１０は、撮像の指示を待つ。
【００６４】
本実施例では、ユーザが予め指定したぼけ度合いが得られるように撮像装置が自動的に絞りを制御する。これにより、ユーザは所望のぼけ度合いを撮像装置に入力するだけで簡単に背景被写体がユーザの意図通りにぼけた出力画像を得ることができる。一方、ユーザが予め指定したぼけ度合いが得られない場合には、ユーザにぼけ度合いを設定し直すように撮像装置が誘導する。これにより、素早く背景被写体がユーザの意図に近い程度にぼけた出力画像を得ることができる。
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００６５】
以上説明した各実施例は代表的な例にすぎず、本発明の実施に際しては、各実施例に対して種々の変形や変更が可能である。
【符号の説明】
【００６６】
１  撮像レンズ
２  駆動制御部
３，５３  撮像センサ
１０  システム制御部
１６，１６′  測距部
【図１】
2016134864.tif 000003
【図２】
2016134864.tif 000004
【図３】
2016134864.tif 000005
【図４】
2016134864.tif 000006
【図５】
2016134864.tif 000007
【図６】
2016134864.tif 000008
【図７】
2016134864.tif 000009
【図８】
2016134864.tif 000010
【図９】
2016134864.tif 000011